(57)【要約】【課題】各種商品の購入に際して、それを設置する場所に最適な商品を容易に選択可能とすること。【解決手段】表示手段（７）と、入力手段（８）と、制御手段（４）と、基本プログラム（５）と、データ記憶領域（６）を備えたコンピューターを用いた商品の購入支援システム及び方法であって、操作者の指示に従って外部記憶媒体に記憶された画像を読み込み、該読み込んだ画像における、購入予定商品の設置領域を認識し、前記読み込んだ画像を表示手段に表示し、購入可能な商品情報を表示手段に表示するとともに購入希望商品の情報を選択させ、該選択させた商品の表示寸法を前記指定させた設置領域の寸法に合わせて調整し、該表示寸法を調整した前記購入予定商品を、前記画像における設置領域に合成して表示し、これにより設置場所に最適な商品選択を容易にする。【選択図】図１
2007193554.tif 000002
【特許請求の範囲】
【請求項１】
少なくとも、表示手段（７）と、入力手段（８）と、制御手段（４）と、基本プログラム（５）と、データ記憶領域（６）とを備えたコンピューターを用いて、操作者が提供した画像に、購入を希望する商品の画像を合成して表示可能とした商品の購入支援システムであって、
購入可能な商品を記憶させた商品データベース（２０１）と支援プログラム（３）と、を備えており、
前記支援プログラム（３）は、
操作者が提供する画像を読み込んで一時記憶するとともにこの読み込んだ画像を表示手段（７）に表示するプログラム（３０２）と、
該表示した画像における商品を設置する領域を認識する設置領域認識プログラム（３０４）と、
前記商品データベース（２）に記憶されている商品の中から購入を希望する商品を選択させるプログラム（３０５）と、
操作者が選択した商品の表示寸法を前記認識した商品の設置領域に対応させて調整するとともに、この表示寸法を調整した商品画像を前記画像における設置領域に合成して表示するプログラム（３０６）と、を含んでいることを特徴とする商品の購入支援システム。
【請求項２】
前記設置領域認識プログラム（３０４）は、予め記憶している商品の模様、色等のパターン及び特性と読み込んだ画像の模様、色等を照合し、合致する箇所を商品の設置領域として認識可能としたことを特徴とする請求項１に記載の商品の購入支援システム。
【請求項３】
請求項１に記載の商品の購入支援システムを用いた、商品の購入支援方法であって、
操作者の指示に従って外部記憶媒体に記憶された画像を読み込み、
該読み込んだ画像における、購入予定商品の設置領域を認識し、
前記読み込んだ画像を表示手段に表示し、
購入可能な商品情報を表示手段に表示するとともに購入希望商品の情報を選択させ、
該選択させた商品の表示寸法を前記指定させた設置領域の寸法に合わせて調整し、
該表示寸法を調整した前記購入予定商品を、前記画像における設置領域に合成して表示する、ことを特徴とする商品の購入支援方法。
【請求項４】
前記読み込んだ画像における模様、色等と予め記憶している商品の模様、色等のパターン及び特性を照合し、合致する箇所を商品の設置領域として認識することを特徴とする請求項３に記載の商品の購入支援方法。
【発明の詳細な説明】
【技術分野】
【０００１】
本発明は、特にカーテン、ブラインド、ロールスクリーン、家具、壁紙、カーペット、フローリング、各種カバー等のインテリア商品や、オフィス等の什器備品、サッシ、瓦、ドア、外壁等のアウトテリア商品の購入を容易にするための商品の購入支援システム及びそれを用いた商品の購入支援方法であって、より詳しくは、購入希望者が提供する画像に商品画像を合成して表示し、これによって、最適な商品を購入可能とした、商品の購入支援システム及びそれを用いた商品の購入支援方法に関する。
【背景技術】
【０００２】
一般的に、カーテン、ブラインド、ロールスクリーン、家具、壁紙、カーペット、フローリング等のインテリア商品やオフィス等の什器備品、サッシ、瓦、ドア、外壁等のアウトテリア商品の購入に際しては、店舗等へ出向いて希望の商品を選択するか、あるいは、カタログや見本帳より商品を選択するが、そのとき、商品を設置する部屋等を思い浮かべて、その部屋等に商品を設置した状態を想像するのが一般的である。
【０００３】
しかしながら、例えば部屋の窓部分にカーテンを吊るした状態を思い描きながらカーテンを選ぶことは、理論上は格別、実際には容易なことではなく、そのために、購入したカーテンを実際に窓部分に吊るした場合には、イメージとは異なったものである場合が少なくない。
【０００４】
また、従来から、幅１ｍ、丈１．２ｍ程の実物サンプルを専門店や移動カー等より借り受けて、実際の部屋に吊ってみてカーテンを選ぶ方法も提供されているが、この場合も、色、柄が限られていること及び寸法が小さいために、イメージに頼る部分が多くならざるを得ない。
【０００５】
そのため、このような事態を防止する方法として、コンピューターを用いたカーテン等の販売システムが提供されている。
【０００６】
ここで、この既に提供されているカーテンの販売システムについて説明すると、このシステムでは、予め、多数種類の部屋画像を記憶しておき、この記憶している多数種類の部屋画像の中から、商品の購入希望者が選択したものを表示画面上に表示に応じて、更に、この表示した部屋画像に、商品の購入希望者が選択した商品画像を合成して表示する、という内容のシステムである。
【０００７】
そのため、このシステムを用いることにより、自分の部屋に類似した部屋を選択することで、頭の中で商品を設置した部屋をイメージする場合に比較して、より容易に自分の部屋に最適な商品を選ぶことが可能となる。
【特許文献１】特開２０００−２２２４６５号
【特許文献２】特開２００２−３５２１２２号
【発明の開示】
【発明が解決しようとする課題】
【０００８】
しかしながら、ワンルーム、２ＤＫ、３ＤＫ、３ＬＤＫ等の部屋や、オフィス、ホテル、学校、病院、各種商業施設その他の広さや建物の大きさに関しては、イメージとして、あるいは、どちらかといえば程度の類似性を見いだすことが可能である場合が多く、ある程度の種類のデータを記憶しておけば良いが、窓の位置や形状、及び室内の家具等の配置に関しては千差万別であるため、部屋の中のイメージが同一である場合は少ない。
【０００９】
そのために、前述のシステムを用いた場合でも、正確に自分の部屋に最適な商品を選択することは困難である。
【００１０】
そこで、本発明は、商品の購入に際して、それを設置する場所に最適な商品を容易に選択可能とする商品の購入支援システム及びそれを用いた商品の購入支援方法を提供することを課題としている。
【課題を解決するための手段】
【００１１】
本発明の商品の購入支援システムは、少なくとも、表示手段と、入力手段と、制御手段と、基本プログラムと、データ記憶領域とを備えたコンピューターを用いて、操作者が提供した画像に、購入を希望する商品の画像を合成して表示可能とした商品の購入支援システムであって、
購入可能な商品を記憶させた商品データベースと支援プログラムとを備えており、
前記支援プログラムは、操作者が提供する画像を読み込んで一時記憶するとともにこの読み込んだ画像を表示手段に表示するプログラムと、
該表示した画像における商品を設置する領域を認識する設置領域認識プログラムと、
前記商品データベースに記憶されている商品の中から購入を希望する商品を選択させるプログラムと、
操作者が選択した商品の表示寸法を前記認識した商品の設置領域に対応させて調整するとともに、この表示寸法を調整した商品画像を前記画像における設置領域に合成して表示するプログラムと、を含んでいることを特徴としている。
【００１２】
また、この商品の購入支援システムを用いた本発明の商品の購入支援方法は、  操作者の指示に従って外部記憶媒体に記憶された画像を読み込み、該読み込んだ画像における、購入予定商品の設置領域を認識し、前記読み込んだ画像を表示手段に表示し、購入可能な商品情報を表示手段に表示するとともに購入希望商品の情報を選択させ、該選択させた商品の表示寸法を前記指定させた設置領域の寸法に合わせて調整し、該表示寸法を調整した前記購入予定商品を、前記画像における設置領域に合成して表示する、ことを特徴としている。
【発明の効果】
【００１３】
本発明では、商品購入者が提供する画像を読み込んで表示画面上に表示するとともに、この表示手段に表示している画像における、商品を設置する領域を認識し、商品購入者が選択した商品について、その表示寸法を前記認識した設置領域の寸法に調整した後に、設置領域に合成して表示することを可能としている。そのため、商品購入者は、商品の購入に際して、商品を設置する場所に最適と思われる商品を選択することが可能である。
【発明を実施するための最良の形態】
【００１４】
本発明の商品の購入支援システムでは、購入可能な商品を記憶させた商品データベースと、表示手段上で商品購入の支援を行うための支援プログラムとを備えている。
【００１５】
そして、支援プログラムは、操作者の指示に従い、操作者が提供する画像を読み込んで一時記憶するとともに、この読み込んだ画像を表示手段に表示するプログラムを含んでいる。
【００１６】
また、支援プログラムは、予め記憶している商品の模様、色等のパターン及び特性と、読み込んだ画像の模様、色等を照合し、合致する箇所を商品の設置領域として認識するプログラムを含んでいる。
【００１７】
更に、支援プログラムは、商品データベースに記憶されている商品の情報を表示手段に表示して、操作者が購入を希望する商品を選択させるプログラムと、操作者が選択した商品の表示寸法を、前記設置領域に対応させて調整し、この調整した商品画像を、前記部屋画像における設置領域に合成して表示するプログラムとを含んでいる。
【実施例１】
【００１８】
本発明の商品の購入支援システムの実施例について図面を参照して説明すると、図１は本実施例の商品の購入支援システムを含むシステム全体１を示す構成図であり、本実施例における商品の購入支援システム１は、カーテンの購入支援システムとしている。
【００１９】
即ち、図に示すシステムでは、装置全体の作動を制御するための制御部（ＣＰＵ）４と、基本プログラムとしてのＯＳ５と、ワークエリア等として用いられる一時記憶領域としてのＲＡＭ６と、ＣＲＴ、液晶等の表示手段７と、キーボード、マウス、スキャナー、ＵＳＢポート等の入力手段８と、プリンター等の出力手段９と、スピーカー等の警報音発生手段１０、及び電源１１とを含んでおり、この構成に加えて更に、本実施例のカーテンの購入支援システムを構成するデータベース２と支援プログラム３を加えて構成されており、データベース２は、カーテンデータベース２０１と、部屋画像データベース２０２と、カーテンパターンデータベース２０３とで構成されている。
【００２０】
そして、前記カーテンデータベース２０１には、多数種類のカーテンの画像データが記憶されており、このデータベースを開いて任意のデータを指定することにより、購入を希望するカーテンを選択可能としている。
【００２１】
また、前記部屋データベース２０２には、予め用意した複数種類の部屋モデルの画像データを記憶させておき、操作者の選択により、この部屋データベース２０２に記憶されている部屋モデルの画像を使用可能としている。
【００２２】
更に、カーテンパターンデータベース２０３には、できうる限り多数の、カーテンの模様等のパターン及び特性を記憶させておき、それぞれのパターン及び特性と操作者が提供した部屋画像とを照合することにより、操作者が提供した部屋画像におけるカーテンの設置場所を認識可能としている。
【００２３】
次に、支援プログラム３について図２を参照して説明すると、本実施例において前記支援プログラム３は、「基本画面表示プログラム」３０１、「部屋画像読込みプログラム」３０２、「部屋画像選択プログラム」３０３、「設置領域認識プログラム」３０４、「商品選択プログラム」３０５、及び「商品画像合成プログラム」３０６とを含んでいる。
【００２４】
そして、「基本画面表示プログラム」３０１は、支援プログラムの起動とともに起動し、図５に示されるような基本画面を表示手段に表示する機能を備えている。
【００２５】
ここで、基本画面について説明すると、この基本画面においては、左側がプレビュー領域とされており、このプレビュー領域は、「部屋検索」ボタン、「読込」ボタン、「設置場所指定」ボタン等が表示されるとともに、これらの各種ボタンの下欄がプレビュー画面とされている。
【００２６】
また、右側はカーテンを選択するための商品検索用画面とされており、カーテンデータベースに記憶されているカーテン画像の中から所望するカーテンを選択するために用いられる。具体的には、「商品一覧」ボタン、「スタイル」ボタン、「サンプル帳」ボタンが表示されるとともに、それらのボタン上にカーソルを乗せることで検索するカーテンの条件を設定可能とし、その条件に基づいて検索されたカーテンより、所望するカーテンを選択可能としている。
【００２７】
次に、「部屋画像読込みプログラム」３０２は、操作者の指示に基づき、ＵＳＢポート等を介して外部記憶手段に記憶されている部屋画像のデータや予め保存しておいた部屋画像を読み込んで前記ＲＡＭ等に一時記憶するするとともに、この読み込んだ部屋画像を表示手段７に表示する機能を有する。
【００２８】
即ち、前記基本画面において、操作者が「読込」ボタンをクリックすると、「部屋画像読込みプログラム」３０２が起動して、デジカメ等に記憶されている部屋画像や予め保存しておいた部屋画像を読み込んで前記プレビュー領域に表示する。
【００２９】
そして、本実施例では、「読込」ボタンがクリックされると、読込元となるファイルを指定する画面が表示され、操作者が特定の画像をダブルクリック等により選択した場合に、その画像を読み込んで一時記憶するとともに、この一時記憶した画像をプレビュー画面に表示する。
【００３０】
一方、操作者が部屋画像の提供を欲しない場合において、基本画面における「部屋検索」ボタンをクリックしたときには、「部屋画像選択プログラム」３０３が起動し、この「部屋画像選択プログラム」３０３は、図６に示すように、プレビュー画面上に、予め部屋データベース２０２に記憶されている部屋モデルの画像を表示画面に表示して、任意の部屋画像を選択させる。そして、操作者がダブルクリック等により任意の部屋を選択した場合に、当該部屋画像をプレビュー領域に表示する。
【００３１】
次に、「設置領域認識プログラム」３０４は、読み込んだ部屋画像における、商品を設置する領域を認識する機能を有する。
【００３２】
ここで、設置領域認識プログラムの具体的な機能を説明すると、本実施例においては、前記カーテンパターンデータベース２０３に記憶してあるカーテンパターン及び特性のそれぞれと読み込んだ画像とを照合し、パターン及び特性の一致する箇所が存在している場合には、その箇所をカーテンの設置領域として認識する。
【００３３】
一方、パターン及び特性の一致する箇所が存在しない場合には、設置領域の指定を操作者に促し、例えばクリック、クリックアンドドラッグにより操作者が指定した後に、当該箇所をカーテンの設置領域として認識する。
【００３４】
なお、部屋データベース２０２に記憶されている部屋モデルの画像に関しては、カーテンを設置する領域を予め認識させておき、部屋モデルの画像におけるカーテン部分をクリックすることにより設置領域を指定してもよい。
【００３５】
次に、「商品選択プログラム」３０５について説明すると、この「商品選択プログラム」３０５は、商品検索用画面における操作者の操作に基づき、カーテンデータベース２０１に記憶されているカーテンの中から、前記設置場所に設置するものを決定する機能を有する。そして、本実施例において商品選択は、図５にも示されるように、「商品一覧」ボタン、「スタイル」ボタン、「サンプル帳」ボタンによってカーテンの条件を指定することにより行うこととしている。
【００３６】
即ち、図１２に示されるように、「商品一覧」ボタン上にカーソルを置くことで、ポップアップメニューとして「住宅用」「オフィス用」「ホテル用」「病院用」等の用途が表示され、これらの用途のいずれかにカーソルを置くことで更に「レース」「ドレープ」「ケースメント」等のメニューがポップアップメニューで表示され、いずれかのメニュー上にカーソルを置いてクリックするとカーテン種類が決定される。
【００３７】
また、「スタイル」上にカーソルを置くと、図１３に示されるように、ポップアップメニューによってカーテンのスタイルが表示され、いずれかのメニュー上にカーソルを置いてクリックするとカーテンのスタイルが決定される。
【００３８】
更に、「サンプル帳」ボタン上にカーソルを置くとポップアップメニューとして「色」、「デザイン」、「イメージ」の各ボタンが表示され、「色」ボタン上にカーソルを置くと、図１４に示されるように、ポップアップメニューで色が表示され、いずれかのメニュー上にカーソルを置いてクリックするとカーテンの色が決定される。
【００３９】
また、「デザイン」ボタン上にカーソルを置くと、図１５に示されるように、ポップアップメニューでデザインが表示され、いずれかのメニュー上にカーソルを置いてクリックするとカーテンのデザインが決定される。
【００４０】
更にまた、「イメージ」ボタン上にカーソルを置くと、図１６に示されるように、ポップアップメニューでイメージが表示され、いずれかのメニュー上にカーソルを置いてクリックするとカーテンのイメージが決定される。
【００４１】
そして、これらの条件を設定した後に、図１７において検索ボタンをクリックすると、図１８に示すように、検索ボタンの下欄に、カーテンデータベース２０１に記憶されているカーテンの中から該当するカーテンが表示され、これらのカーテンの中から操作者が所望するものをクリックにより選択することを可能としている。
【００４２】
次に、「商品画像合成プログラム」３０６は、商品検索用画面においてカーテンが選択されることで起動し、選択されたカーテンの表示画面上における表示寸法を、前記認識した設置領域の寸法に応じて調整するとともに、前記一時記憶している読込み画像、あるいは選択された部屋モデル画像における設置領域に、表示寸法を調整した商品画像を合成してシミュレーション画像を作成し、このシミュレーション画像を表示画面に表示する機能を有する。
【００４３】
次に、このように構成される本実施例のカーテンの購入支援システムを用いた商品の購入支援方法について図３のフローチャートを参照して説明すると、本実施例の商品の購入支援方法では、ステップ１においてシステムを起動させると、ステップ２において、図５に示す基本画面を表示する。
【００４４】
ここで、前述したように、基本画面において右側は商品検索用画面とされ、「商品一覧」ボタン、「スタイル」ボタン、「サンプル帳」ボタン、更に「検索」ボタンが表示される。
【００４５】
また、左側はプレビュー領域とされている。即ち、「部屋検索」ボタン、「読込」ボタン、「設置場所指定」ボタン、「戻る」ボタン、「終了」ボタンが表示されるとともに、その下欄はプレビュー画面とされており、「終了」ボタンがクリックされると支援プログラムは終了する。なお、本実施例においては、この画面において「戻る」ボタンをクリックしても無効になることとしている。
【００４６】
そして、この基本画面において、操作者が、予め部屋の写真を記憶させてあるデジカメ等を、ＵＳＢポートを介して装置に接続した後に「読込」ボタンをクリックすると、ステップ３において部屋画像の読込みが行われ、読み込んだ部屋画像がプレビュー領域に表示される。なおこのとき、デジカメ等に複数の画像が記憶されているときにはその中から該当する画像をだぶるクリック等で選択するように設定してもよく、この方法は、一般的にデジカメ画像をパソコンに取り込む場合に行われている方法と同様にすればよい。
【００４７】
一方、操作者が部屋画像の読込みを欲せず、基本画面における「部屋検索」ボタンをクリックした場合には、ステップ４において、部屋データベース２０２に記憶されている部屋画像がプレビュー領域に表示されて任意の部屋画像を選択可能にして、任意の部屋画像が選択された後に、当該部屋画像をプレビュー領域に表示する。部屋データベース２０２に記憶されている部屋画像がプレビュー領域に表示されて任意の部屋画像を選択可能にしている状態が図６の状態であり、この状態において、所望する部屋画像上にカーソルを置いてクリックすると、図７に示すように、選択された部屋画像がプレビュー領域に表示される。
【００４８】
次に、本実施例においては、前記部屋画像の読込みとともに、ステップ５において、カーテンの設置領域の認識が行われる。
【００４９】
ここで、カーテンの設置領域の認識について説明すると、図４は設置領域の認識方法を説明するためのフローチャートであり、まず、ステップ５１においてカーテンパターンデータベース２０３が開かれ、次にステップ５２において、カーテンパターンデータベースに記憶されているカーテンパターン及び特性のそれぞれについて、読み込んだ画像との照合が行われる。即ち、カーテンパターンデータベースに記憶されているカーテンパターン及び特性のそれぞれについて、読み込んだ画像中に同一のパターン及び特性が存在するかどうかが検索される。
【００５０】
そして、同一のパターン及び特性が存在している場合には、当該箇所をカーテンの設置領域と認識し、ステップ５３において、認識した箇所を強調表示するとともに確認用のメッセージを表示し、操作者が了解した場合には、ステップ５４においてメインプログラムに戻る。なお、認識した箇所を強調表示するとともに確認用のメッセージを表示した状態が図８であり、図８においては、設置領域として認識した箇所に斜線を引いて強調しているが、その他、例えば当該部分をカラー表示あるいは反転表示してもよい。また、図９は、カーテンの設置領域を決定してメインプログラムに戻った状態における表示画面であり、この状態において次に、ステップ６の商品選択を行う。
【００５１】
一方、同一のパターン及び特性が存在していない場合には、図１０に示すように、ステップ５５において設置領域を指定させる。なお、図１０においては「設置領域を指定して下さい。」という文字を表示するとともに、その下方に「はい」「キャンセル」「戻る」の文字を表示し、「はい」がクリックされたときには設置領域の指定画面に移る。なお、同一のパターン及び特性が存在していない場合には、部屋画像にカーテンが存在しない場合も含まれる。
【００５２】
ここで、設置領域の指定方法は特に限定はしないが、本実施例においては、図１１におけるＡ、Ｂ、Ｃ、Ｄに示すように、カーテンを設置する領域の四隅をクリックした後に、「設置場所指定」ボタンをクリックすると、ステップ５６において、前述のステップ５３と同様に、図８に示すように、操作者が指定した箇所を強調表示するとともに確認用のメッセージを表示し、その後、操作者が了解した場合には、ステップ５４においてメインプログラムに戻り、図９の表示画面になる。
【００５３】
なお、前述したように、この設置エリアの指定に際して、部屋データベース２０２に記憶されている部屋画像を表示している場合には、カーテン部分をクリックすることのみで設置エリアを指定可能にしてもよい。
【００５４】
次に、ステップ６における商品選択について説明すると、本実施例では、前述したように、商品の選択に際しては「商品一覧」「スタイル」「サンプル帳」のポップアップメニューより商品の条件を選択可能とし、更に、「検索」ボタンを押すことで商品を検索、決定可能としている。
【００５５】
即ち、まず、図９において、「商品一覧」ボタン上にカーソルを置くと、
図１２に示すように、「住宅用」「オフィス用」「ホテル用」「病院用」等の用途のポップアップメニューが表示され、それらのいずれか上にカーソルを置くと更に、「レース」「ドレープ」「ケースメント」「ロールスクリーン」「ブラインド」等のカーテン種類のポップアップメニューが表示され、これにより、例えば、「住宅用」のポップアップメニューの「レース」上にカーソルを置いてクリックすると、「住宅用」の「レース」カーテンが選択され、「商品一覧」ボタンの右側に表示される（図１３参照）。
【００５６】
次に、「スタイル」ボタン上にカーソルを置くと、図１３に示すように、カーテンのスタイルのポップアップメニューが表示され、表示されているスタイルの中の希望するもの上にカーソルを置いてクリックすることで、カーテンのスタイルが決定され、「スタイル」ボタンの右側に表示される（図１４参照）。
【００５７】
次に、「サンプル帳」ボタン上にカーソルを置くと、「色」「デザイン」「イメージ」等のポップアップメニューが「サンプル帳」ボタンの下欄に表示され、それらのポップアップメニュー上にカーソルを置くと更に、具体的な「色」「デザイン」「イメージ」等のポップアップメニューが表示される。
【００５８】
即ち、「色」ボタン上にカーソルを置くと、カーテンの色のポップアップメニューが表示され、例えば、図１４においてグレー系の上にカーソルを置いてクリックすることでカーテンの色が決定され、「色」ボタンの右側に表示される（図１５参照）。
【００５９】
次に、「デザイン」ボタン上にカーソルを置くと、図１５に示すように、カーテンのデザインのポップアップメニューが表示され、所望するデザイン上にカーソルを置いてクリックすることでカーテンのデザインが決定され、「デザイン」ボタンの右側に表示される（図１６参照）。
【００６０】
そして、「イメージ」ボタン上にカーソルを置くと、図１６に示すように、カーテンのイメージのポップアップメニューが表示され、所望するイメージ上にカーソルを置いてクリックすることでカーテンのイメージが決定され、「イメージ」ボタンの右側に表示される（図１７参照）。
【００６１】
次に、このようにカーテンの条件を設定した後に「検索」ボタンをクリックすると、カーテンデータベース２０１の中から該当するカーテンが検索され、図１８に示すように、「検索」ボタンの下欄に上記設定した条件に合致するカーテンが表示される。そして、この表示されたカーテンの中の所望するもの上にカーソルを置いてクリックすることで、カーテンが決定される。
【００６２】
なお、本実施例においては、図１９に示すように、表示されたカーテン上にカーソルを置くと、そのカーテンの価格、品質、リピート等が表示されるようにしており、これにより、カーテンの選択を容易にしている。
【００６３】
なお、選択可能なカーテンの条件は必ずしも前記に限られたものではなく、適宜追加、変更してもよい。
【００６４】
次に、このようにして商品が選択されると、ステップ７において、この選択された商品の表示寸法を前記指定された設置領域に設置可能な寸法に調整した後に、この寸法を調整した表品画像を部屋画像における設置領域に合成し、ステップ８において、図２０に示すように、この合成した画像をプレビュー領域に表示する。
【００６５】
そうすると、操作者が提供した部屋画像に選択したカーテンを吊るした状態が表示され、これにより、実際に部屋の窓にカーテンを吊るした状態を確認することが可能となる。
【００６６】
このように、本実施例では、操作者が提供した部屋画像に商品画像を合成して表示可能としているために、頭の中でカーテンを吊るした状態をイメージする必要が無く、また、予め装置に記憶されている部屋を用いて商品画像を合成する場合と異なり実際の部屋に商品画像を合成することができるために、部屋に最適な商品を確実に選択することが可能である。
【００６７】
なお、前述の実施例ではカーテンを購入する場合について説明したが、本発明が対象とする商品は必ずしもカーテンには限定されず、カーテン、ブラインド、ロールスクリーン、家具、壁紙、カーペット、フローリング、各種カバー等のインテリア商品全般や、オフィス等の什器備品、サッシ、瓦、ドア、外壁等のアウトテリア商品全般が含まれる。
【産業上の利用可能性】
【００６８】
本発明では、商品の購入希望者が提供した画像に商品画像を合成して表示し、これにより現実に即した商品選択を可能としているために、設置場所をイメージして購入する必要がある商品を購入する際の全般に適用可能である。
【図面の簡単な説明】
【００６９】
【図１】本発明の商品の購入支援システムのシステム構成図である。
【図２】本発明の商品の購入支援システムにおける支援プログラムを説明するためのブロック図である。
【図３】本発明の商品の購入支援システムを用いた商品の購入支援方法を説明するためのフローチャートである。
【図４】本発明の商品の購入支援システムを用いた商品の購入支援方法における設置領域認識方法を説明するためのフローチャートである。
【図５】本発明の商品の購入支援方法の基本画面である。
【図６】部屋データベースに記憶されている部屋画像をプレビュー領域に表示した状態を示す図である。
【図７】プレビュー領域に部屋画像を表示した状態を示す図である。
【図８】プレビュー領域に表示した部屋画像におけるカーテンの設置場所の確認を促している図である。
【図９】プレビュー領域に表示した部屋画像におけるカーテンの設置場所が決定した状態を示す図である。
【図１０】プレビュー領域に表示した部屋画像におけるカーテンの設置場所の指定を促している状態を示す図である。
【図１１】プレビュー領域に表示した部屋画像におけるカーテンの設置場所を指定した状態を示す図である。
【図１２】カーテンの用途、種類を選択している状態を示す図である。
【図１３】カーテンの用途、種類の選択が終了した後にカーテンのスタイルを選択している状態を示す図である。
【図１４】カーテンのスタイルの選択が終了した後にカーテンの色を選択している状態を示す図である。
【図１５】カーテンの色の選択が終了した後にカーテンのデザインを選択している状態を示す図である。
【図１６】カーテンのデザインの選択が終了した後にカーテンのイメージを選択している状態を示す図である。
【図１７】カーテンのイメージの選択が終了した状態を示す図である。
【図１８】設定した条件に合致しているカーテンを表示している状態を示す図である。
【図１９】表示したカーテンの中の任意のもの上にカーソルを置いている状態を示す図である。
【図２０】部屋画像における設置場所にカーテン画像を合成して表示した状態を示す図である。
【符号の説明】
【００７０】
１    商品の購入支援システム
２    データベース
２０１    カーテンデータベース
２０２    部屋データベース
２０３    カーテンパターンデータベース
３    支援プログラム
３０１    基本画面表示プログラム
３０２    部屋画像読込みプログラム
３０３    部屋画像選択プログラム
３０４    設置領域認識プログラム
３０５    商品選択プログラム
３０６    商品画像合成プログラム
４    制御部（ＣＰＵ）
５    基本プログラム（ＯＳ）
６    ＲＡＭ
７    表示部
８    入力手段（キーボード、マウス）
９    出力手段（プリンター）
１０    スピーカー
１１    電源
【図１】
2007193554.tif 000003
【図２】
2007193554.tif 000004
【図３】
2007193554.tif 000005
【図４】
2007193554.tif 000006
【図５】
2007193554.tif 000007
【図６】
2007193554.tif 000008
【図７】
2007193554.tif 000009
【図８】
2007193554.tif 000010
【図９】
2007193554.tif 000011
【図１０】
2007193554.tif 000012
【図１１】
2007193554.tif 000013
【図１２】
2007193554.tif 000014
【図１３】
2007193554.tif 000015
【図１４】
2007193554.tif 000016
【図１５】
2007193554.tif 000017
【図１６】
2007193554.tif 000018
【図１７】
2007193554.tif 000019
【図１８】
2007193554.tif 000020
【図１９】
2007193554.tif 000021
【図２０】
2007193554.tif 000022